(57)【特許請求の範囲】
【請求項１】
携帯端末装置と、前記携帯端末装置と通信する遠隔装置と、を備える業務支援システムであって、
前記携帯端末装置は、
前記携帯端末装置を所持する利用者の状態を判定する状態判定部と、
判定された前記利用者の状態を示す利用者状態情報を前記遠隔装置へ送信し、前記遠隔装置から業務情報を含んだ送信情報を受信する第１通信部と、
前記送信情報を表示する表示部と、
を備え、
前記遠隔装置は、
前記利用者状態情報に基づき、第三者の立ち入りが制限される所定の被管理領域内に前記利用者がいるか否かを判定する環境判定部と、
前記利用者が前記被管理領域内にいる場合に前記業務情報をプッシュ型の配信形態で配信する前記送信情報を生成し、前記利用者が前記被管理領域内にいない場合に前記業務情報をプル型の配信形態で配信する前記送信情報を生成する送信情報生成部と、
前記送信情報を前記携帯端末装置へ送信する第２通信部と、
を備えることを特徴とする業務支援システム。
【請求項２】
前記携帯端末装置は、前記業務情報をプッシュ型の配信形態で配信する前記送信情報を受信した場合、受信した前記送信情報に含まれる前記業務情報を音声情報として出力する音声出力部を、さらに備えることを特徴とする請求項１に記載の業務支援システム。
【請求項３】
前記携帯端末装置は、前記被管理領域として車両内に前記利用者がいると前記状態判定部が判定した場合、受信した前記送信情報に含まれる前記業務情報を音声情報として出力する音声出力部を、さらに備えることを特徴とする請求項１に記載の業務支援システム。
【請求項４】
前記業務情報をプッシュ型の配信形態で配信する前記送信情報は、前記業務情報を含んだ第１送信情報であり、
前記業務情報をプル型の配信形態で配信する前記送信情報は、
前記業務情報を含まず、前記業務情報の送信要求のための識別情報を含む第２送信情報と、
前記携帯端末装置における操作に応じて送信される前記識別情報を含んだ前記送信要求を前記遠隔装置が受信した場合に送信され且つ前記業務情報を含んだ第３送信情報と、を含むことを特徴とする請求項１〜３のいずれか一項に記載の業務支援システム。
【請求項５】
携帯端末装置と通信する遠隔装置であって、
前記携帯端末装置を所持する利用者が、第三者の立ち入りが制限される所定の被管理領域内にいるか否かを判定する環境判定部と、
前記利用者が前記被管理領域内にいる場合に業務情報をプッシュ型の配信形態で配信する送信情報を生成し、前記利用者が前記被管理領域内にいない場合に前記業務情報をプル型の配信形態で配信する前記送信情報を生成する送信情報生成部と、
前記送信情報を前記携帯端末装置へ送信する情報送信部と、
を備えることを特徴とする遠隔装置。
【請求項６】
遠隔装置と通信する携帯端末装置であって、
第三者の立ち入りが制限される所定の被管理領域内に前記携帯端末装置を所持する利用者がいるか否かを判定する状態判定部と、
前記遠隔装置から業務情報を含んだ送信情報を受信する情報受信部と、
前記利用者が前記被管理領域内にいる場合にプッシュ型の提示形態で前記利用者に前記業務情報を提示し、前記利用者が前記被管理領域内にいない場合にプル型の提示形態で前記利用者に前記業務情報を提示する提示形態制御部と、
を備えることを特徴とする携帯端末装置。
【請求項７】
携帯端末装置における情報提示を制御するためのプログラムであって、
前記携帯端末装置に、
第三者の立ち入りが制限される所定の被管理領域内に前記携帯端末装置を所持する利用者がいるか否かを判定する処理と、
遠隔装置から業務情報を含んだ送信情報を受信する処理と、
前記利用者が前記被管理領域内にいる場合にプッシュ型の提示形態で前記利用者に前記業務情報を提示し、前記利用者が前記被管理領域内にいない場合にプル型の提示形態で前記利用者に前記業務情報を提示する処理と、
を実行させる命令を含むことを特徴とするプログラム。
【発明の詳細な説明】
【技術分野】
【０００１】
本発明は、業務支援システム、遠隔装置、携帯端末装置及びプログラムに関する。
【背景技術】
【０００２】
携帯端末装置を介して、この携帯端末装置を所持する利用者に業務に関する業務情報を伝達する業務支援システムが知られている。
特許文献１には、異常が検知された警備対象を監視するセンサの検知状態などを警備員が所持する携帯端末から確認できるようにして、警備対象へ向かっている警備員がある程度現場の状況を把握できるようにすることが記載されている。
【先行技術文献】
【特許文献】
【０００３】
【特許文献１】特開２００５−２８４８６１号公報
【発明の概要】
【発明が解決しようとする課題】
【０００４】
しかし、上述のような警備業務だけでなく、一般的に業務情報を第三者に知得されることは好ましくない。例えば、電子メールなどで情報を通知する場合に、本文中に業務情報が直接記述されていると、携帯端末装置を所持する利用者が業務情報を確認する際に、業務情報を不用意に携帯端末装置に表示する虞がある。このため、第三者が自由に出入りできる公共の場に利用者がいるときにこのような情報を受信してしまうと、業務情報を第三者に覗き見されてしまう虞がある。一方で、周囲に第三者がいる虞がなければ、できるだけ知得しやすい形態で業務情報を伝達した方が効率的である。
本発明は、携帯端末装置による業務情報の伝達を効率化しつつ、業務情報を第三者が覗き見る危険を低減することを目的とする。
【課題を解決するための手段】
【０００５】
本発明の一形態によれば、携帯端末装置と、携帯端末装置と通信する遠隔装置と、を備える業務支援システムが与えられる。
携帯端末装置は、携帯端末装置を所持する利用者の状態を判定する状態判定部と、判定された利用者の状態を示す利用者状態情報を遠隔装置へ送信し、遠隔装置から業務情報を含んだ送信情報を受信する第１通信部と、送信情報を表示する表示部を備える。
遠隔装置は、利用者状態情報に基づき、第三者の立ち入りが制限される所定の被管理領域内に利用者がいるか否かを判定する環境判定部と、利用者が被管理領域内にいる場合に業務情報をプッシュ型の配信形態で配信する送信情報を生成し、利用者が被管理領域内にいない場合に業務情報をプル型の配信形態で配信する送信情報を生成する送信情報生成部と、送信情報を携帯端末装置へ送信する第２通信部を備える。
【０００６】
携帯端末装置は、業務情報をプッシュ型の配信形態で配信する送信情報を受信した場合、受信した送信情報に含まれる業務情報を音声情報として出力する音声出力部を備えてもよい。
携帯端末装置は、被管理領域として車両内に利用者がいると状態判定部が判定した場合、受信した送信情報に含まれる業務情報を音声情報として出力する音声出力部を備えてもよい。
【０００７】
業務情報をプッシュ型の配信形態で配信する送信情報は、業務情報を含んだ第１送信情報でよい。業務情報をプル型の配信形態で配信する送信情報は、業務情報を含まず業務情報の送信要求のための識別情報を含む第２送信情報と、携帯端末装置における操作に応じて送信される識別情報を含んだ送信要求を遠隔装置が受信した場合に送信され且つ業務情報を含んだ第３送信情報を含んでもよい。
【０００８】
本発明の他の形態によれば、携帯端末装置と通信する遠隔装置が与えられる。遠隔装置は、携帯端末装置を所持する利用者が、第三者の立ち入りが制限される所定の被管理領域内にいるか否かを判定する環境判定部と、利用者が被管理領域内にいる場合に業務情報をプッシュ型の配信形態で配信する送信情報を生成し、利用者が被管理領域内にいない場合に業務情報をプル型の配信形態で配信する送信情報を生成する送信情報生成部と、送信情報を携帯端末装置へ送信する情報送信部を備える。
【０００９】
本発明の他の形態によれば、遠隔装置と通信する携帯端末装置が与えられる。携帯端末装置は、第三者の立ち入りが制限される所定の被管理領域内に携帯端末装置を所持する利用者がいるか否かを判定する状態判定部と、遠隔装置から業務情報を含んだ送信情報を受信する情報受信部と、利用者が被管理領域内にいる場合にプッシュ型の提示形態で利用者に業務情報を提示し、利用者が被管理領域内にいない場合にプル型の提示形態で利用者に業務情報を提示する提示形態制御部を備える。
【００１０】
本発明の他の形態によれば、携帯端末装置における情報提示を制御するためのプログラムが与えられる。プログラムは、第三者の立ち入りが制限される所定の被管理領域内に携帯端末装置を所持する利用者がいるか否かを判定する処理と、遠隔装置から業務情報を含んだ送信情報を受信する処理と、利用者が被管理領域内にいる場合にプッシュ型の提示形態で利用者に業務情報を提示し利用者が被管理領域内にいない場合にプル型の提示形態で利用者に業務情報を提示する処理を、携帯端末装置に実行させる命令を含む。
【発明の効果】
【００１１】
本発明の実施形態によれば、携帯端末装置による業務情報の伝達を効率化しつつ、業務情報を第三者が覗き見る危険を低減できる。
【図面の簡単な説明】
【００１２】
【図１】実施形態の警備業務支援システムの全体を示す概略構成図である。
【図２】（ａ）は携帯端末装置に表示されるメニュー画面の一例を示す図であり、（ｂ）はプッシュ型の配信形態で配信された業務情報の表示形態の一例の説明図である。
【図３】（ａ）及び（ｂ）はプル型の配信形態で配信された業務情報の表示形態の一例の説明図である。
【図４】携帯端末装置に表示される行動入力画面の一例を示す図である。
【図５】実施形態の警備装置の構成例を示す図である。
【図６】実施形態の携帯端末装置の構成例を示す図である。
【図７】実施形態のセンタ装置の構成例を示す図である。
【図８】プッシュ型の配信形態で業務情報を配信する際の第１実施形態の警備業務支援システムの動作の全体の説明図である。
【図９】プル型の配信形態で業務情報を配信する際の第１実施形態の警備業務支援システムの動作の全体の説明図である。
【図１０】第１実施形態のセンタ装置による処理のフローチャートである。
【図１１】プッシュ型の提示形態で業務情報を提示する際の第２実施形態の警備業務支援システムの動作の全体の説明図である。
【図１２】プル型の提示形態で業務情報を提示する際の第２実施形態の警備業務支援システムの動作の全体の説明図である。
【図１３】第２実施形態の携帯端末装置による処理のフローチャートである。
【発明を実施するための形態】
【００１３】
以下、本発明の実施形態を図面に基づいて説明する。
（第１実施形態）
本発明の実施形態に係る業務支援システムの一例として、所定の監視区域に警備装置を設置することにより人手を介さずに監視区域を監視する警備業務支援システムを説明する。この警備業務支援システムでは、監視区域に発生した異常を警備装置により検知して、異常発生時には異常に対処する対処員を監視区域に派遣し、警備業務に関する業務情報を対処員が所持する携帯端末装置を介して伝達する。
ただし、本発明の業務支援システムは、このような警備業務支援システムに限定されるものではなく、業務に携わる携帯端末装置の利用者に、この携帯端末装置を介して業務情報を伝達する業務支援システムに広く適用可能である。
【００１４】
（警備業務支援システムの全体構成）
図１を参照する。警備業務支援システム１は、監視対象である監視区域２に設置され異常を検知するセンサ４と、センサ４に接続される警備装置７と、監視センタ９に設置され通信回線８を通じて警備装置７に接続されるセンタ装置１０を備える。警備業務支援システム１は、センタ装置１０を監視する管制員１１からの対処指示により、監視区域２へ向かう対処員１２ａ〜１２ｃによってそれぞれ所持される携帯端末装置１３ａ〜１３ｃを備える。
【００１５】
なお、図１は、対処員１２ａ及び１２ｂの位置が、第三者の立ち入りが制限される所定の被管理領域内であり、対処員１２ｃの位置が、被管理領域外の第三者が自由に出入りできる公共の場である状態を示している。このような被管理領域の一例は、警備会社など警備業務支援システム１により業務を提供する法人により所有されまたは使用され、この法人の構成員及び／又は従業者以外の第三者の立ち入りが制限される施設１４や車両１５である。以下、このような施設１４及び車両１５をそれぞれ「自社施設１４」及び「自社車両１５」と表記する。例えば、対処員１２ａは自社施設１４内におり、対処員１２ｂは自社車両１５により移動中である。
以下、対処員１２ａ〜１２ｃを総称して「対処員１２」と表記することがある。携帯端末装置１３ａ〜１３ｃを総称して「携帯端末装置１３」と表記することがある。
【００１６】
センサ４は、例えば監視区域２内の施設の内部、又は窓もしくはドア等の開閉部に設置され、この施設への侵入者又は侵入物（以下、「侵入者等」と表記する）を検知する。またはセンサ４は、監視区域２内の施設の外壁、外側領域内、監視区域２の入口の開閉部に設置され監視区域２内への侵入者等を検知する。
センサ４は、例えば開閉部の開閉を検知するマグネットセンサ、受光した赤外線の光量変化に基づいて探知範囲の侵入者等の有無を検知する赤外線センサであってよい。また、センサ４は、例えば撮像画像と予め記憶された正常時の画像との差分に基づいて撮像範囲の侵入者等の有無を検知する画像センサであってもよい。センサ４は、監視区域２内に発生した異常を検知すると「検知信号」を警備装置７へ送信する。
【００１７】
警備装置７は、センサ４からの検知信号により、監視区域２における異常の発生を検知する。警備装置７の動作モードには、警備セットモード及び警備解除モードがある。警備セットモードにて検知信号を受信した場合、警備装置７はセンタ装置１０へ「異常信号」を送信する。警備装置７は、警備装置７自身やセンサ４の異常の発生を検知した場合にも、センタ装置１０へ異常信号を送信する。
【００１８】
異常信号を受信したセンタ装置１０は、例えば表示部に異常発生を表示することにより、管制員１１に異常発生を通知する。異常発生を確認した管制員１１は、監視区域２の警備を担当する対処員１２の何れかを選択し、選択された対処員１２に対して対処を要請する。対処の要請を受けた対処員１２は、異常が発生した監視対象施設３に向かい異常事態の確認、復旧などの対処業務を開始する。
【００１９】
管制員１１から対処員１２への対処指示は、対処を要請する業務情報を配信するための「送信情報」を対処員１２が所持する携帯端末装置１３に送信し、携帯端末装置１３に業務情報を表示することによって対処員１２に伝達してよい。
第三者の立ち入りが制限される自社施設１４や自社車両１５の中に対処員１２がいる場合、対処員１２が業務情報を確認するために携帯端末装置１３で業務情報を表示しても、業務情報に含まれる警備上の情報を第三者に覗き見される虞は少ない。
このため、自社施設１４や自社車両１５の中にいる対処員１２に対処指示を行う場合には、業務情報の一覧性にすぐれたプッシュ型の配信形態で業務情報を携帯端末装置１３へ配信し、業務情報の伝達の効率を向上する。
【００２０】
なお、「プッシュ型の配信形態」とは、携帯端末装置１３を所持する対処員１２の能動的な動作の有無に関わらず、業務情報を携帯端末装置１３に配信する配信形態を意味する。例えば「プッシュ型の配信形態」は、携帯端末装置１３を所持する対処員１２の能動的な携帯端末装置１３の操作に関わらず、業務情報を携帯端末装置１３に配信する配信形態である。
プッシュ型の配信形態で業務情報を配信する場合、センタ装置１０は、業務情報を配信する送信情報として、業務情報を含む「第１送信情報」を携帯端末装置１３へ送信する。
【００２１】
図２の（ａ）及び図２の（ｂ）を参照する。図２の（ｂ）の例では、第１送信情報を携帯端末装置１３が受信すると、携帯端末装置１３に表示されるメニュー画面２０上に第１指示通知２３がポップアップとして表示される。
第１指示通知２３には、第１送信情報に含まれる業務情報が表示される業務情報表示欄２４が設けられる。例えば、業務情報は、対処員１２への指示が、監視区域２に発生した異常に対処する「異常対処指示」であり、監視区域２の警備業務の顧客の識別コードが「0123456」であり、異常対処を行う監視区域２が「△△ビル」であることを警備上の情報として含む。
【００２２】
プッシュ型の配信形態において対処員１２の能動的動作なしに業務情報を配信するのと同様に、携帯端末装置１３もまた、第１指示通知２３を対処員１２の能動的な動作（例えば携帯端末装置１３の操作）の有無に関わらず受信した情報を表示画面の最前面に表示するポップアップ表示をしてよい。このように対処員１２の能動的な動作が必要ないため、効率的に業務情報を伝達することができる。なお、第１指示通知２３は、図２の（ａ）に示す「通知の確認」ボタン２２の押下操作によって後で再表示させることもできる。
【００２３】
一方で、第三者の立ち入りが制限される被管理領域外の公共の場にいる対処員１２が業務情報を受信してしまうと、対処員１２が業務情報を確認する際に、第三者に警備上の情報を覗き見され取得されてしまう虞がある。
このため、被管理領域外にいる対処員１２に対処指示を行う場合には、不用意に業務情報が表示されにくいプル型の配信形態で業務情報を携帯端末装置１３へ配信する。
【００２４】
なお、「プル型の配信形態」とは、携帯端末装置１３を所持する対処員１２の能動的な動作に応答して、業務情報を携帯端末装置１３に配信する配信形態を意味する。例えば「プル型の配信形態」は、携帯端末装置１３を所持する対処員１２の能動的な携帯端末装置１３の操作に応答して、業務情報を携帯端末装置１３に配信する配信形態である。
プル型の配信形態で業務情報を配信する場合、センタ装置１０は、業務情報を配信する送信情報として「第２送信情報」及び「第３送信情報」を携帯端末装置１３へ送信することによって業務情報を配信する。
【００２５】
第２送信情報は、伝達すべき業務情報の存在を知らせる情報であり、図２の（ｂ）に示した業務情報自体を含まず、業務情報の送信要求のための識別情報を含んでよい。携帯端末装置１３における業務情報の要求操作に応じてこの識別情報を含んだ業務情報送信要求をセンタ装置１０へ送信し、センタ装置１０が業務情報送信要求を受信すると、業務情報自体を含んだ第３送信情報をセンタ装置１０から携帯端末装置１３へ送信する。
【００２６】
図３の（ａ）及び図３の（ｂ）を参照する。図３の（ａ）の例では、第２送信情報を携帯端末装置１３が受信すると、メニュー画面２０上に第２指示通知２５がポップアップとして自動的に表示される。第２指示通知２５は、伝達すべき業務情報の存在を知らせる「指示あり」のメッセージと、業務情報の要求操作手段２６の表示と、「後で確認」ボタン２７を含む。対処員１２は、対処員１２の能動的な動作の有無に関わらず第２指示通知２５がポップアップ表示されることにより、伝達すべき業務情報の存在を知ることができる。したがって、第２送信情報は、プル型の配信形態で業務情報を配信する送信情報である一方で、伝達すべき業務情報の存在を知らせる情報をプッシュ型の配信形態で携帯端末装置１３へ配信する情報でもある。
【００２７】
要求操作手段２６は、対処員１２による業務情報を含んだ第３送信情報の送信要求を受け付けるためのユーザインタフェースである。図３の（ａ）の例では、要求操作手段２６は、業務情報が記載されたＷｅｂページである第３送信情報の送信を要求するＷｅｂページへのリンク表示である。第２送信情報は、業務情報送信要求のための識別情報として、Ｗｅｂページの識別情報を含んだリンク情報を含んでよい。ある実施例では、要求操作手段２６は、例えば業務情報の要求操作を受け付けるボタン等であってもよい。
【００２８】
対処員１２が被管理領域外にいて携帯端末装置１３の画面表示を第三者により覗き見される虞がある場合には、例えば被管理領域内へ移動してから要求操作手段２６を操作する。この要求操作手段２６の操作に応じて、携帯端末装置１３は、第２送信情報に含まれる識別情報を含んだ業務情報送信要求を生成し、センタ装置１０へ送信する。センタ装置１０は業務情報送信要求に応じて業務情報を含んだ第３送信情報を携帯端末装置１３へ送信する。
【００２９】
図３の（ｂ）を参照する。第３送信情報を受信した携帯端末装置１３は、業務情報が記載される指示表示画面２８を表示する。指示表示画面２８には、図２の（ｂ）の業務情報表示欄２４と同様の業務情報表示欄２９が設けられる。指示表示画面２８は、例えば業務情報が記載されたＷｅｂページであってよい。
図３の（ａ）を参照する。第三者により携帯端末装置１３の画面表示を覗き見される虞を解消できない状態で、指示表示画面２８を閲覧せずにメニュー画面２０を操作したい場合には、「後で確認」ボタン２７の押下操作によって第２指示通知２５の表示を止めることができる。
【００３０】
その後、被管理領域内へ移動する等により第三者による覗き見の虞がなくなった後に、図２の（ａ）に示す「通知の確認」ボタン２２の押下操作によって、第２指示通知２５を再表示させることができる。そして、要求操作手段２６を操作することによって指示表示画面２８を携帯端末装置１３にて表示し、第三者による覗き見の虞がない状態で業務情報を確認することができる。
【００３１】
対処員１２が被管理領域内にいるか被管理領域外にいるかの状態（以下、「対処員状態」と表記する）は、例えば携帯端末装置１３を用いて判定してよい。例えば携帯端末装置１３は、対処員１２が携帯端末装置１３で行う操作によって対処員状態を判定してよい。例えば携帯端末装置１３は、対処員１２により携帯端末装置１３に入力される対処員の行動状態に関する情報に基づいて、対処員状態を判定してよい。
【００３２】
図２の（ａ）を参照する。行動状態に関する情報の入力は、対処員１２がメニュー画面２０内の行動情報入力ボタン２１を押下する操作に応じて表示される行動入力画面にて行う。行動情報入力ボタン２１が押下されると図４に示す行動入力画面３０が表示される。行動入力画面３０は、対処員１２が現在いる施設や対処員１２の移動先の施設を入力する施設入力欄３１と、施設入力欄３１に入力される施設が自社施設であるか否かを区別する種別情報を入力する種別情報入力欄３２を含む。行動入力画面３０は、施設入力欄３１に入力される監視区域２における対処員１２の行動又は作業を入力する行動入力欄３３と、対処員１２の現在の行動状態を入力する行動状態入力欄３４と、対処員１２の移動手段を入力可能な移動手段入力欄３５を含む。
【００３３】
行動状態入力欄３４には、現在の行動状態に関する情報として、例えば「到着」、「作業中」、「出発」、及び「休憩中」などが入力可能である。例えば、施設入力欄３１に「△△ビル」が入力された状態で、行動状態入力欄３４に「到着」又は「作業中」を入力すると、対処員状態が「△△ビル」に対処員１２がいる状態であると判定される。そして、種別情報入力欄３２に自社施設を示す種別情報が入力されていると、対処員状態が、自社施設内（すなわち被管理領域内）に対処員１２がいる状態であると判定される。
【００３４】
また、例えば、施設入力欄３１の情報を「××ビル」へ変更し、行動状態入力欄３４に「出発」を入力すると、対処員状態が「××ビル」への移動中であると判定される。そして、移動手段入力欄３５に入力される移動手段が車両であると、対処員状態が、自社車両内（すなわち被管理領域内）に対処員１２がいる状態であると判定される。
一方で、自社施設内に対処員１２がいる状態でもなく自社車両にて移動中でもない場合、対処員状態が、被管理領域外に対処員１２がいる状態であると判定される。
【００３５】
携帯端末装置１３は、携帯端末装置１３の操作に代えて、例えば、携帯端末装置１３が備えるＧＰＳ（Global Positioning System）受信機を用いて、対処員１２が被管理領域内にいるか否かを判定してもよい。
また、携帯端末装置１３は、被管理領域に設置された無線機器との間の近距離通信によって、対処員１２が被管理領域内にいるか否かを判定してもよい。例えば、携帯端末装置１３は、被管理領域に設置されたＲＦＩＤ（Radio Frequency IDentification）タグから発信される識別信号を受信することによって、対処員１２が被管理領域にいるかの否かを判定してもよい。
【００３６】
なお、本実施形態で配信される業務情報は、対処員１２への対処指示だけでなく、例えば対処指示のキャンセルを知らせる情報であってもよい。業務情報は、対処指示やそのキャンセルのような対処員１２への指示だけでなく、監視区域２にて対処員１２が異常に対処する作業の作業支援に関する支援情報であってもよい。この支援情報は、警備装置７に検知された異常に関する詳細情報であってよい。
【００３７】
詳細情報は、例えば、警備装置７に検知された異常の分類、発生箇所、及び原因、異常を検知したセンサ４又は異常が検知された警備装置７若しくはセンサ４の識別情報、警備装置７に検知された異常に対する対処方法に関する情報を含んでよい。
支援情報は、検出された異常に対処する際に必要な機材を対処員１２の携行品として指定する携行品情報を含んでもよい。
【００３８】
続いて、警備業務支援システム１の各部の構成について説明する。
（警備装置の構成）
図５を参照して警備装置７の構成を説明する。警備装置７は、入出力インタフェース４０と、記憶部４１と、通信回路４２と、制御部４３を備える。入出力インタフェース４０は、センサ４に接続され、異常を検知したセンサ４からの検知信号を受信する。
記憶部４１は、不揮発性メモリ又はハードディスクドライブ装置を備えてもよい。記憶部４１には、制御部４３により実行されるプログラム、プログラムの実行に必要なデータが記憶される。
通信回路４２は、通信回線８を経由してセンタ装置１０との有線通信又は無線通信を行うための回路である。
【００３９】
制御部４３は、異常検知部４４を備える。制御部４３は、プロセッサ、及びその周辺回路を備えており、記憶部４１に記憶されたコンピュータプログラムを実行することにより、以下に説明する異常検知部４４の処理を実施する。すなわちコンピュータプログラムは、異常検知部４４の処理を制御部４３に実行させる命令を含む。
異常検知部４４は、警備装置７の動作モードが警備セットモードである間に、入出力インタフェース４０を介してセンサ４から検知信号を受信すると、通信回路４２を介して異常を知らせる異常信号をセンタ装置１０へ送信する。また、異常検知部４４は、警備装置７自身やセンサ４の異常の発生を検知した場合にも異常を知らせる異常信号をセンタ装置１０へ送信する。
【００４０】
（携帯端末装置の構成）
次に、図６を参照して携帯端末装置１３の構成を説明する。携帯端末装置１３として、スマートフォンや携帯電話を採用可能である。ただし携帯端末装置１３はこれらに限定されるものではない。携帯端末装置１３は、携帯可能であり、センタ装置１０との通信機能、及び情報処理機能を有し、アプリケーションプログラムを記憶してこれらの機能を実現することができる他の装置でもよい。
携帯端末装置１３は、操作部５０と、表示部５１と、記憶部５２と、音声出力部５３と、通信回路５４と、制御部５５を備える。
【００４１】
操作部５０は、情報入力手段として機能し、入力ボタンや表示部５１の表示画面に設けられたタッチパネルなどを備えていてよい。操作部５０は、対処員１２による携帯端末装置１３への情報入力及び操作入力を受け付けるために使用される。例えば、操作部５０は、図３の（ａ）に示す第２指示通知２５における要求操作手段２６の操作入力を受け付ける。また例えば、操作部５０は、図４に示す行動入力画面３０における対処員１２の行動状態に関する情報の入力を受け付ける。
表示部５１は、表示手段として機能し、制御部５５の制御によって各種の情報の表示を行う。表示部５１には、例えば図２の（ａ）に示すメニュー画面２０、図２の（ｂ）に示す第１指示通知２３、図３の（ａ）に示す第２指示通知２５、図３の（ｂ）に示す指示表示画面２８、及び図４に示す行動入力画面３０が表示されてよい。
【００４２】
記憶部５２は、例えば、ＲＯＭ（Read Only Memory）及びＲＡＭ（Random Access Memory）を備える。記憶部５２は、不揮発性メモリ又はハードディスクドライブ装置を備えてもよい。記憶部５２には、制御部５５により実行されるコンピュータプログラム、及びコンピュータプログラムの実行に必要なデータが記憶される。
制御部５５により実行されるコンピュータプログラムは、機械可読記録媒体に記録されて、図示しない媒体読取装置により読み取られて記憶部５２にインストールされてもよい。また、このコンピュータプログラムは、通信回路５４を介して通信回線８からダウンロードされ、記憶部５２にインストールされてもよい。
【００４３】
音声出力部５３は、制御部５５の制御によって音声情報の出力を行う。音声出力部５３は、例えばスピーカであってよい。
通信回路５４は、有線又は無線の通信インタフェースを備え、コネクタ又はアンテナを介して通信回線８に接続される。
【００４４】
制御部５５は、通信処理部５６、状態判定部５７、表示制御部５８、及び報知制御部５９を備える。制御部５５は、プロセッサ及びその周辺回路を備えており、記憶部５２に記憶されたコンピュータプログラムを実行することにより、以下に説明する通信処理部５６、状態判定部５７、表示制御部５８、及び報知制御部５９の処理を実施する。すなわち、コンピュータプログラムは、通信処理部５６、状態判定部５７、表示制御部５８、及び報知制御部５９の処理を制御部５５に実行させる命令を含む。
【００４５】
通信処理部５６は、通信回路５４を介してセンタ装置１０との間の通信処理を行う。例えば、通信処理部５６は、センタ装置１０から送信される第１送信情報、第２送信情報、及び第３送信情報を受信するための処理を行う、
また例えば、状態判定部５７が対処員状態を判定すると、通信処理部５６は、判定された対処員状態を示す対処員状態情報をセンタ装置１０へ送信するための処理を行う。
【００４６】
状態判定部５７は、対処員状態を判定する処理を行う。例えば、状態判定部５７は、図４に示す行動入力画面３０で入力された行動状態に関する情報に基づいて対処員状態を判定してよい。
また、例えば状態判定部５７は、携帯端末装置１３が備える図示しないＧＰＳ受信機の測位結果に基づいて対処員状態を判定する。また、例えば状態判定部５７は、監視区域２に設置された無線機器との間の近距離通信の結果に基づいて対処員状態を判定する。
【００４７】
表示制御部５８は、表示部５１に各種画面を表示する処理を行う。例えば表示制御部５８は、図２の（ａ）に示すメニュー画面２０を表示部５１に表示し、対処員１２が行動情報入力ボタン２１を押下する操作を行うと、図４に示す行動入力画面３０を表示部５１に表示する。また例えば、表示制御部５８は、通信処理部５６が第１送信情報を受信すると、図２の（ｂ）に示す第１指示通知２３を表示部５１にポップアップ表示する。
【００４８】
また例えば表示制御部５８は、通信処理部５６が第２送信情報を受信すると、図３の（ａ）に示す第２指示通知２５を表示部５１にポップアップ表示する。また、例えば表示制御部５８は、メニュー画面２０で対処員１２が「通知の確認」ボタン２２を押下する操作を行うと、過去に表示した第１指示通知２３や第２指示通知２５を表示部５１に再表示する。
【００４９】
また例えば、操作部５０が図３の（ａ）に示す要求操作手段２６の操作入力を受け付けると、表示制御部５８は、受信した第２送信情報に含まれる識別情報を含んだ業務情報送信要求をセンタ装置１０へ送信するための処理を行う。また例えば、表示制御部５８は、業務情報送信要求に応じて送信された第３送信情報を通信処理部５６が受信すると、図３の（ｂ）に示す指示表示画面２８を表示部５１に表示する。
【００５０】
報知制御部５９は、対処員１２が被管理領域にいる時に第１送信情報を受信した場合に、通信処理部５６が受信した第１送信情報に含まれる業務情報を、音声情報として音声出力部５３を介して出力する。例えば、報知制御部５９は、第１送信情報を受信した場合に、業務情報を音声情報として出力する。また例えば、報知制御部５９は、対処員１２が被管理領域にいると状態判定部５７が判定した場合に業務情報を音声情報として出力する。
【００５１】
例えば、報知制御部５９は、対処員１２が自社車両１５で移動中である（すなわち対処員１２が自社車両１５内にいる）と状態判定部５７が判定した場合に、業務情報を音声情報として出力する。業務情報を音声情報として出力することにより、対処員１２は携帯端末装置１３を見なくても業務情報を知得することができ、業務情報の伝達の効率が向上する。特に、自社車両１５で移動中の対処員１２が携帯端末装置１３を操作できなくても業務情報を知得することができるので業務情報の伝達の効率が向上する。
【００５２】
報知制御部５９は、例えば、テキスト情報として第１送信情報に含まれる業務情報を音声合成機能により読み上げることにより業務情報を音声情報として出力してよい。また例えば、業務情報を知らせる音声情報のパターンを予め業務情報に対応付けて記憶部５２に格納しておき、報知制御部５９は、受信した第１送信情報に含まれる業務情報に対応付けられたパターンを音声情報として出力してよい。また例えば、センタ装置１０より業務情報を知らせる音声情報を含んだ第１送信情報に含めて送信し、報知制御部５９は、第１送信情報に含まれる音声情報を出力する。
【００５３】
（センタ装置１０の構成）
次に、図７を参照してセンタ装置１０の構成を説明する。センタ装置１０は、例えば監視センタ９に設置された１又は複数のコンピュータで構成されている。センタ装置１０は、操作部７０と、表示部７１と、記憶部７２と、通信回路７３と、制御部７４を備える。
操作部７０は、情報入力手段として機能し、センタ装置１０を構成するコンピュータに含まれるキーボード、マウス、タッチペン、タッチパッド又はトラックボールや、表示部７１の表示画面に設けられたタッチパネルなどを備えていてよい。
操作部７０は、管制員１１によるセンタ装置１０への操作入力を受け付けるために使用される。例えば、操作部７０は、異常発生時に対処員１２による対処指示する対処指示操作を受け付ける。
【００５４】
表示部７１は、表示手段として機能し、制御部７４の制御によって各種の情報の表示を行う。表示部７１には、例えば、異常発生を知らせる文字又は図形等の視覚情報や、異常が検知されて監視区域２が表示されてよい。
記憶部７２は、例えば、ＲＯＭ及びＲＡＭを備える。記憶部７２は、不揮発性メモリ又はハードディスクドライブ装置を備えてもよい。記憶部７２には、制御部７４により実行されるコンピュータプログラム、及びコンピュータプログラムの実行に必要なデータが記憶される。
通信回路７３は、有線又は無線の通信インタフェースを備え、コネクタ又はアンテナを介して通信回線８に接続される。
制御部７４は、通信処理部７５と、環境判定部７６と、送信情報生成部７７を備える。制御部７４は、プロセッサ及びその周辺回路を備えており、記憶部７２に記憶されたコンピュータプログラムを実行することにより、以下に説明する通信処理部７５と、環境判定部７６と、送信情報生成部７７の処理を実施する。
【００５５】
通信処理部７５は、通信回路７３を介して警備装置７との通信処理と携帯端末装置１３との通信処理を行う。例えば通信処理部７５は、携帯端末装置１３から送信される対処員状態情報及び業務情報送信要求を受信する処理を行う。通信処理部７５は、対処員状態情報を受信すると、対処員状態情報を記憶部７２に格納する。また例えば通信処理部７５は、携帯端末装置１３から送信された業務情報送信要求に応じて、送信情報生成部７７により生成される第３送信情報を送信する処理を行う。また例えば、通信処理部７５は、送信情報生成部７７により生成される第１送信情報及び第２送信情報を送信する処理を行う。
【００５６】
環境判定部７６は、携帯端末装置１３から受信した対処員状態情報に応じて、対処員１２が被管理領域内にいるか否かを判定する。
送信情報生成部７７は、業務情報自体を含んだ第３送信情報を生成し記憶部７２に格納するとともに、生成した第３送信情報（すなわち業務情報自体）の送信を要求する業務情報送信要求のための識別情報を生成する。
【００５７】
また送信情報生成部７７は、対処員１２が被管理領域内にいると環境判定部７６が判定した場合、プッシュ型の配信形態で業務情報を配信する第１送信情報を生成する。通信処理部７５は、生成された第１送信情報を携帯端末装置１３へ送信する。
一方で、送信情報生成部７７は、対処員１２が被管理領域内にいないと環境判定部７６が判定した場合、プル型の配信形態で業務情報を配信する送信情報として、第３送信情報の送信を要求する業務情報送信要求の識別情報を含んだ第２送信情報を生成する。通信処理部７５は、生成された第２送信情報を携帯端末装置１３へ送信する。
【００５８】
また、通信処理部７５は、携帯端末装置１３から送信された業務情報送信要求を受信すると、業務情報送信要求に応答して、プル型の配信形態で業務情報を配信する送信情報として第３送信情報を携帯端末装置１３へ送信する。通信処理部７５は、業務情報送信要求を受信すると業務情報送信要求に含まれる識別情報により識別される第３送信情報を記憶部７２から読み込む。通信処理部７５は第３送信情報を携帯端末装置１３へ送信する。
【００５９】
なお、センタ装置１０は特許請求の範囲に記載の遠隔装置の一例である。監視区域２は監視対象領域の一例である。対処員１２は利用者の一例である。対処員状態情報は利用者状態情報の一例である。業務情報送信要求は送信要求の一例である。携帯端末装置１３の通信処理部５６は、第１通信部の一例である。センタ装置１０の通信処理部７５は、第２通信部及び情報送信部の一例である。
【００６０】
（第１実施形態の警備業務支援システムの動作）
次に、図８を参照してプッシュ型の配信形態で対処指示を知らせる業務情報を配信する際の第１実施形態の警備業務支援システムの動作の全体を説明する。
ステップＳ１において携帯端末装置１３は、対処員状態を判定する。ステップＳ２において携帯端末装置１３は、判定した対処員状態を示す対処員状態情報をセンタ装置１０へ送信する。センタ装置１０は、受信した対処員状態情報を記憶部７２に格納する。
【００６１】
その後、警備装置７が異常を検知すると、ステップＳ３において警備装置７は異常信号をセンタ装置１０へ送信する。ステップＳ４においてセンタ装置１０は、異常の発生を知らせる視覚情報や異常が検知された監視区域２を表示部７１に表示する。ステップＳ５においてセンタ装置１０は、管制員１１による対処指示操作を受け付ける。
ステップＳ６においてセンタ装置１０は、対処指示を指示する業務情報を配信するための第３送信情報を生成する。ステップＳ７においてセンタ装置１０は、記憶部７２に格納した対処員状態情報に基づき対処員１２の対処員状態を確認する。すなわちセンタ装置１０は、対処員１２が被管理領域内にいるか否かを判定する。
【００６２】
対処員１２が被管理領域内にいる場合には、ステップＳ８においてセンタ装置１０は、対処指示を指示する業務情報をプッシュ型の配信形態で配信するための送信情報として、業務情報自体を含んだ第１送信情報を作成する。センタ装置１０は、第１送信情報に加えて、対処指示を指示する業務情報をプル型の配信形態で配信するための送信情報として、ステップＳ６で生成した第３送信情報の送信要求の識別情報を含んだ第２送信情報を作成してもよい。
【００６３】
ステップＳ９においてセンタ装置１０は、第１送信情報を携帯端末装置１３へ送信する。センタ装置１０は、第１送信情報に加えて第２送信情報を携帯端末装置１３へ送信してもよい。
ステップＳ１０において携帯端末装置１３は、第１送信情報に含まれる業務情報を含んだ第１指示通知２３を表示部５１に表示する。
【００６４】
なお、ステップＳ１の動作は携帯端末装置１３の状態判定部５７の動作に相当する。ステップＳ２の動作は携帯端末装置１３の通信処理部５６の動作に相当する。ステップＳ３の動作は警備装置７の異常検知部４４の動作に相当する。ステップＳ４の動作はセンタ装置１０の表示部７１の動作に相当する。ステップＳ５の動作はセンタ装置１０の操作部７０の動作に相当する。ステップＳ６及びステップＳ８の動作はセンタ装置１０の送信情報生成部７７の動作に相当する。ステップＳ７の動作はセンタ装置１０の環境判定部７６に相当する。ステップＳ９の動作はセンタ装置１０の通信処理部７５の動作に相当する。ステップＳ１０の動作は携帯端末装置１３の表示制御部５８の動作に相当する。
【００６５】
次に、図９を参照してプル型の配信形態で対処指示を知らせる業務情報を配信する際の第１実施形態の警備業務支援システムの動作の全体を説明する。ステップＳ２０〜Ｓ２６の動作は図８に示すステップＳ１〜Ｓ７の動作と同様である。
対処員１２が被管理領域外にいる場合には、ステップＳ２７においてセンタ装置１０は、対処指示を指示する業務情報をプル型の配信形態で配信するための送信情報として、ステップＳ２５で生成した第３送信情報の送信要求の識別情報を含んだ第２送信情報を作成する。ステップＳ２８においてセンタ装置１０は、第２送信情報を携帯端末装置１３へ送信する。ステップＳ２９において携帯端末装置１３は、業務情報の要求操作手段２６の表示を含んだ第２指示通知２５を表示部５１に表示する。
【００６６】
ステップＳ３０において携帯端末装置１３は、要求操作手段２６の操作入力を受け付ける。要求操作手段２６の操作入力を受け付けると、ステップＳ３１において携帯端末装置１３は第２送信情報に含まれる識別情報を含んだ業務情報要求信号をセンタ装置１０に送信する。ステップＳ３２においてセンタ装置１０は、業務情報要求信号に応答して、業務情報要求信号に含まれる識別情報により識別される第３送信情報を携帯端末装置１３へ送信する。ステップＳ３３において携帯端末装置１３は、受信した第３送信情報に含まれる業務情報を含んだ指示表示画面２８を表示部５１に表示する。
なお、ステップＳ２７の動作はセンタ装置１０の送信情報生成部７７の動作に相当する。ステップＳ２８及びＳ３２の動作はセンタ装置１０の通信処理部７５の動作に相当する。ステップＳ２９〜Ｓ３０及びステップＳ３３の動作は携帯端末装置１３の表示制御部５８の動作に相当する。
【００６７】
（第１実施形態のセンタ装置による処理）
次に、図１０を参照して第１実施形態に係るセンタ装置１０が業務情報を配信する際の処理について説明する。
ステップＳ４０において送信情報生成部７７は、送信すべき業務情報があるか否かを判定する。送信すべき業務情報がある場合（ステップＳ４０：Ｙ）に処理はステップＳ４１へ進む。送信すべき業務情報がない場合（ステップＳ４０：Ｎ）に処理は終了する。
【００６８】
ステップＳ４１において送信情報生成部７７は、業務情報自体を含んだ第３送信情報と、この第３送信情報の送信を要求する業務情報送信要求のための識別情報を生成する。送信情報生成部７７は、第３送信情報を記憶部７２に格納する。
ステップＳ４２において環境判定部７６は、携帯端末装置１３から受信して記憶部７２に格納された対処員状態情報を確認する。ステップＳ４３において環境判定部７６は、対処員状態情報に基づいて、対処員１２が被管理領域内にいるか否かを判定する。
【００６９】
対処員１２が被管理領域内にいる場合（ステップＳ４３：Ｙ）に処理はステップＳ４４へ進む。対処員１２が被管理領域内にいない場合（ステップＳ４３：Ｎ）に処理はステップＳ４６へ進む。
ステップＳ４４において送信情報生成部７７は、業務情報をプッシュ型の配信形態で配信するための送信情報として業務情報自体を含んだ第１送信情報を作成する。送信情報生成部７７は、第１送信情報に加えてステップＳ４１で生成した第３送信情報の送信要求の識別情報を含んだ第２送信情報を作成してもよい。ステップＳ４５において通信処理部７５は、第１送信情報を携帯端末装置１３へ送信する。
【００７０】
通信処理部７５は、第１送信情報に加えて第２送信情報を携帯端末装置１３へ送信してもよい。その後に処理は終了する。
ステップＳ４６において送信情報生成部７７は、プル型の配信形態で配信するための送信情報として第３送信情報の送信要求の識別情報を含んだ第２送信情報を作成する。ステップＳ４７において通信処理部７５は、第２送信情報を携帯端末装置１３へ送信する。その後に処理は終了する。
【００７１】
（第１実施形態の効果）
（１）センタ装置１０の送信情報生成部７７は、対処員１２が被管理領域内にいる場合に業務情報をプッシュ型の配信形態で配信する送信情報を生成し、対処員１２が被管理領域内にいない場合に業務情報をプル型の配信形態で配信する送信情報を生成する。このため、携帯端末装置による業務情報の伝達を効率化しつつ、業務情報を第三者が覗き見る危険を低減できる。
【００７２】
（２）携帯端末装置１３は、対処員１２が自社車両１５内にいると状態判定部５７が判定した場合、センタ装置１０から受信した送信情報に含まれる業務情報を音声情報として出力する音声出力部５３を備える。このため、自社車両１５で移動中の対処員１２が携帯端末装置１３を操作できなくても業務情報を知得することができるので業務情報の伝達の効率が向上する。
【００７３】
（３）携帯端末装置１３は、業務情報をプッシュ型の配信形態で配信する送信情報を受信した場合、受信した送信情報に含まれる業務情報を音声情報として出力する音声出力部５３を備える。このため、対処員１２が第三者の立ち入りが制限される被管理領域にいて第三者に聞かれる虞がない状況では業務情報を音声情報として出力されるので、対処員１２は携帯端末装置１３を見なくても業務情報を知得することができ、業務情報の伝達の効率が向上する。
【００７４】
（第２実施形態）
次に、第２実施形態を説明する。第２実施形態の警備装置７、センタ装置１０及び携帯端末装置１３は、図５〜図７を参照して説明した第２実施形態の警備装置７、センタ装置１０及び携帯端末装置１３と同様の構成を有する。したがって、以下の説明では、第１実施形態と異なる構成及び機能を中心に説明し、第１実施形態と同様の構成及び機能の説明を省略する。
【００７５】
第２実施形態では、業務情報をプッシュ型及びプル型のいずれの提示形態で提示するかを、携帯端末装置１３の表示制御部５８により制御する。
プッシュ型の提示形態とは、携帯端末装置１３を所持する対処員１２の能動的な動作の有無に関わらず、業務情報を携帯端末装置１３にて提示する提示形態を意味する。例えばプッシュ型の提示形態は、携帯端末装置１３を所持する対処員１２の能動的な携帯端末装置１３の操作に関わらず、業務情報を携帯端末装置１３にて提示する提示形態である。
また、プル型の配信形態とは、携帯端末装置１３を所持する対処員１２の能動的な動作に応答して、業務情報を携帯端末装置１３にて提示する提示形態を意味する。例えばプル型の配信形態は、携帯端末装置１３を所持する対処員１２の能動的な携帯端末装置１３の操作に応答して、業務情報を携帯端末装置１３にて提示する提示形態である。
【００７６】
第２実施形態に係るセンタ装置１０の送信情報生成部７７は、配信すべき業務情報が存在する場合、対処員１２が被管理領域内にいるか否かに関わらず、業務情報をプッシュ型の配信形態で配信する送信情報と、業務情報をプル型の配信形態で配信する送信情報の両方を生成する。
通信処理部７５は、業務情報をプッシュ型の配信形態で配信する送信情報と、業務情報をプル型の配信形態で配信する送信情報の両方を携帯端末装置１３へ送信する。携帯端末装置１３の表示制御部５８は、対処員１２が被管理領域内にいる場合にプッシュ型の提示形態で対処員１２に業務情報を提示し、対処員１２が被管理領域内にいない場合にプル型の提示形態で対処員１２に業務情報を提示する。
【００７７】
例えば、第２実施形態に係る送信情報生成部７７は、対処員１２が被管理領域内にいるか否かに関わらず、業務情報をプッシュ型の配信形態で配信する第１送信情報と、業務情報をプル型の配信形態で配信する第２送信情報及び第３送信情報の両方を生成する。通信処理部７５は、第１送信情報と第２送信情報の両方を携帯端末装置１３へ送信する。
対処員１２が被管理領域内にいると状態判定部５７が判定した場合、携帯端末装置１３の表示制御部５８は、図２の（ｂ）に示すように、業務情報を含んだ第１指示通知２３をメニュー画面２０上に自動的にポップアップ表示する。以上により、業務情報はプッシュ型の提示形態で対処員１２に提示される。
【００７８】
対処員１２が被管理領域内にいないと状態判定部５７が判定した場合、表示制御部５８は、図３の（ａ）に示すように、業務情報の要求操作手段２６の表示を含んだ第２指示通知２５をポップアップ表示する。表示制御部５８は、操作部５０が要求操作手段２６の操作入力を受け付けると、業務情報を含んだ第３送信情報の送信を要求する業務情報送信要求をセンタ装置１０へ送信するための処理を行う。
【００７９】
表示制御部５８は、業務情報送信要求に応じて送信された第３送信情報を通信処理部５６が受信すると、図３の（ｂ）に示す指示表示画面２８を表示部５１に表示する。以上により、業務情報はプル型の提示形態で対処員１２に提示される。
なお、携帯端末装置１３の通信処理部５６は、特許請求の範囲に記載の情報受信部の一例である。携帯端末装置１３の表示制御部５８は提示形態制御部の一例である。
【００８０】
（第２実施形態の警備業務支援システムの動作）
次に、図１１を参照してプッシュ型の提示形態で対処指示を知らせる業務情報を提示する際の第２実施形態の警備業務支援システムの動作の全体を説明する。
ステップＳ５０〜Ｓ５２の動作は、図８に示すステップＳ３〜Ｓ５の動作と同様である。ステップＳ５３においてセンタ装置１０は、対処員１２が被管理領域内にいるか否かに関わらず、業務情報をプッシュ型の配信形態で配信する第１送信情報と、業務情報をプル型の配信形態で配信する第２送信情報及び第３送信情報の両方を生成する。ステップＳ５４においてセンタ装置１０は、対処員１２が被管理領域内にいるか否かに関わらず、第１送信情報と第２送信情報の両方を携帯端末装置１３へ送信する。
【００８１】
ステップＳ５５において携帯端末装置１３は、対処員状態を判定する。対処員１２が被管理領域内にいる場合には、ステップＳ５６において携帯端末装置１３は、第１送信情報に含まれる業務情報を含んだ第１指示通知２３を表示部５１に表示する。
なお、ステップＳ５３の動作はセンタ装置１０の送信情報生成部７７の動作に相当する。ステップＳ５４の動作はセンタ装置１０の通信処理部７５の動作に相当する。ステップＳ５５の動作は、携帯端末装置１３の状態判定部５７の動作に相当する。ステップＳ５６の動作は、携帯端末装置１３の表示制御部５８の動作に相当する。
【００８２】
次に、図１２を参照してプル型のプッシュ型の提示形態で対処指示を知らせる業務情報を提示する際の第２実施形態の警備業務支援システムの動作の全体を説明する。ステップＳ６０〜Ｓ６５の動作は、図１１に示すステップＳ５０〜Ｓ５５の動作と同様である。
対処員１２が被管理領域内にいない場合には、ステップＳ６６において携帯端末装置１３は、業務情報の要求操作手段２６の表示を含んだ第２指示通知２５を表示部５１に表示する。ステップＳ６７〜Ｓ７０の動作は、図９に示すステップＳ３０〜Ｓ３３の動作と同様である。
なお、ステップＳ６６の動作は携帯端末装置１３の表示制御部５８の動作に相当する。
【００８３】
（第２実施形態の携帯端末装置による処理）
次に、図１３を参照して第２実施形態に係る携帯端末装置１３が業務情報を提示する際の処理について説明する。
ステップＳ８０において通信処理部５６は、第１送信情報及び第２送信情報をセンタ装置１０から受信する。ステップＳ８１において状態判定部５７は、携帯端末装置１３を所持する対処員１２の対処員状態を判定する。ステップＳ８２において状態判定部５７は、対処員１２が被管理領域内にいるか否かを判定する。対処員１２が被管理領域内にいる場合（ステップＳ８２：Ｙ）に処理はステップＳ８３へ進む。対処員１２が被管理領域内にいない場合（ステップＳ８２：Ｎ）に処理はステップＳ８４へ進む。
【００８４】
ステップＳ８３において表示制御部５８は、第１送信情報に含まれる業務情報を含んだ第１指示通知２３を表示部５１に表示する。その後に処理は終了する。
ステップＳ８４において表示制御部５８は、業務情報の要求操作手段２６の表示を含んだ第２指示通知２５を表示部５１に表示する。ステップＳ８５において表示制御部５８は、操作部５０が要求操作手段２６の操作入力を受け付けたか否かを判定する。操作部５０が要求操作手段２６の操作入力を受け付けた場合（ステップＳ８５：Ｙ）に処理はステップＳ８６へ進む。操作部５０が要求操作手段２６の操作入力を受け付けていない場合（ステップＳ８５：Ｎ）に処理はステップＳ８５に戻る。
【００８５】
ステップＳ８６において表示制御部５８は、第２送信情報に含まれる識別情報を含み、この識別情報により識別される第３送信情報を要求する業務情報送信要求をセンタ装置１０へ送信する。ステップＳ８７において通信処理部５６は、業務情報送信要求に応答して送信された第３送信情報を受信する。ステップＳ８８において表示制御部５８は、第３送信情報に含まれる業務情報を含んだ指示表示画面２８を表示部５１に表示する。その後に処理は終了する。
【００８６】
（第２実施形態の効果）
携帯端末装置１３の表示制御部５８は、対処員１２が被管理領域内にいる場合にプッシュ型の提示形態で対処員１２に業務情報を提示し、対処員１２が被管理領域内にいない場合にプル型の提示形態で対処員１２に業務情報を提示する。
このため、携帯端末装置による業務情報の伝達を効率化しつつ、業務情報を第三者が覗き見る危険を低減できる。
【００８７】
（第２実施形態の変形例）
変形例に係るセンタ装置１０の送信情報生成部７７は、配信すべき業務情報が存在する場合、対処員１２が被管理領域内にいるか否かに関わらず第１送信情報のみを生成してもよい。通信処理部７５は、対処員１２が被管理領域内にいるか否かに関わらず第１送信情報のみを携帯端末装置１３へ送信してもよい。
【００８８】
携帯端末装置１３の表示制御部５８は、対処員１２が被管理領域内にいる場合には、対処員１２の能動的な動作の有無に関わらず第１送信情報に含まれる業務情報を、表示部５１に表示することにより、プッシュ型の提示形態で対処員１２に業務情報を提示してよい。表示制御部５８は、対処員１２が被管理領域内にいない場合には、対処員１２の能動的な動作を条件に第１送信情報に含まれる業務情報を表示部５１に表示することにより、プル型の提示形態で対処員１２に業務情報を提示してよい。例えば、表示制御部５８は、対処員１２による能動的な携帯端末装置１３の操作があるまで業務情報の表示を禁止し、携帯端末装置１３の操作があってから業務情報の表示を許可してよい。
【符号の説明】
【００８９】
１  警備業務支援システム、２  監視区域、４  センサ、７  警備装置、８  通信回線、９  監視センタ、１０  センタ装置、１１  管制員、１２  対処員、１３  携帯端末装置、１４  自社施設、１５  自社車両、４０  入出力インタフェース、４１  記憶部、４２  通信回路、４３  制御部、４４  異常検知部、５０  操作部、５１  表示部、５２  記憶部、５３  音声出力部、５４  通信回路、５５  制御部、６６  通信処理部、５７  状態判定部、５８  表示制御部、５９  報知制御部、７０  操作部、７１  表示部、７２  記憶部、７３  通信回路、７４  制御部、７５  通信処理部、７６  環境判定部、７７  送信情報生成部
【図１】
0006563767.tif 000002
【図２】
0006563767.tif 000003
【図３】
0006563767.tif 000004
【図４】
0006563767.tif 000005
【図５】
0006563767.tif 000006
【図６】
0006563767.tif 000007
【図７】
0006563767.tif 000008
【図８】
0006563767.tif 000009
【図９】
0006563767.tif 000010
【図１０】
0006563767.tif 000011
【図１１】
0006563767.tif 000012
【図１２】
0006563767.tif 000013
【図１３】
0006563767.tif 000014